(57)【要約】【課題】ピットの位置により記録されるデータに同期したクロック信号を正確に再生する。【解決手段】ピットデータ生成回路１１は、ピットの長短を読み取った総和読取信号ＳＲＦからピットデータに同期した第１クロック信号ＣＫ１とピット同期信号ＳＹＮＣを生成する。分周回路は第１クロック信号ＣＫ１を分周して第２クロック信号ＣＫ２を生成する。分周回路はピット同期信号によってリセットされ、第２クロック信号ＣＫ２の位相を調整することができる。【選択図】      図２
2004348924.tif 000002
【特許請求の範囲】
【請求項１】
第１データに応じて長短とされる記録マークが、第２データを所定の変調方式で変調して得たウォブル信号に応じて、当該記録マークの読取方向と交わる方向に変動した位置に形成された情報記録媒体を再生する情報再生装置において、
前記情報記録媒体に記録された前記記録マークを読取る読取手段と、
前記読取手段の出力信号に基づき、前記記録マークの長短を表す読取信号を生成する読取信号生成手段と、
前記読取信号に基づき、第１クロック信号を生成する第１クロック信号生成手段と、
前記読取手段の出力信号に基づき、前記読取マークの変動位置を示すウォブル信号を生成するウォブル信号生成手段と、
前記第１クロック信号を用いて、前記生成されたウォブル信号から前記第２データを再生する第２データ再生手段と
を備えたことを特徴とする情報再生装置。
【請求項２】
前記第１クロック信号を用いて、前記読取信号から前記第１データを再生する第１データ再生手段を備えた請求項１に記載の情報再生装置。
【請求項３】
前記所定の変調方式はスペクトラム拡散方式であることを特徴とする請求項２に記載の情報再生装置。
【請求項４】
前記第２データ再生手段は、
前記第１クロック信号に同期した第２クロック信号を生成する第２クロック信号生成手段と、
前記第２クロック信号を用いて前記第２データのスペクトラム拡散変調に用いたランダムデータを生成するランダムデータ生成手段と、
前記生成されたランダムデータに基づいて、前記生成されたウォブル信号を復調して前記第２データを再生する再生手段と
を備えたことを特徴とする請求項３に記載の情報再生装置。
【請求項５】
前記再生手段は、
前記第２クロック信号を用いて前記生成されたウォブル信号をサンプリングするサンプリング手段と、
前記生成されたランダムデータを用いて前記サンプリング手段の出力データに逆スペクトラム拡散を施して前記第２データを再生する復調手段と
を備えたことを特徴とする請求項４に記載の情報再生装置。
【請求項６】
前記第１データのデータレートは前記ランダムデータのデータレートのＮ（Ｎは２以上の自然数）倍であり、
前記第２クロック信号生成手段は、前記第１クロック信号を１／Ｎ分周する分周回路によって構成されることを特徴とする請求項４に記載の情報再生装置。
【請求項７】
前記第１データ生成手段は、前記第１データに含まれる特定のデータパターンを抽出した特定信号を出力し、
前記分周回路は、前記特定信号又は前記特定信号を所定時間遅延した信号によってリセットされる
ことを特徴とする請求項６に記載の情報再生装置。
【請求項８】
前記特定信号は同期信号であることを特徴とする請求項７に記載の情報再生装置。
【請求項９】
第１データに応じて長短とされる記録マークの長短が、第２データを所定の変調方式で変調して得たウォブル信号に応じて、当該記録マークの読取方向と交わる方向に変動した位置に形成された情報記録媒体を再生する情報再生方法において、
前記情報記録媒体に記録された前記記録マークを読取る第１ステップと、
前記第１ステップにより読み取った信号に基づき、前記記録マークの長短を表す読取信号を生成する第２ステップと、
前記読取信号に基づき、第１クロック信号を生成する第３ステップと、
前記第１ステップにより読み取った信号に基づき、前記読取マークの変動位置を示すウォブル信号を生成する第４ステップと、
前記第１クロック信号を用いて、前記生成されたウォブル信号に所定の処理を施して前記第２データを再生する第５ステップと
を備えることを特徴とする情報再生方法。
【発明の詳細な説明】
【０００１】
【発明の属する技術分野】
本発明は、光ディスク等の情報記録媒体から情報を再生する技術に関する。
【０００２】
【従来の技術】
ＣＤやＤＶＤに代表される光ディスクでは、ピットの長短で情報を記録している。しかし、例えば、不正コピー防止等のためのコピー制御用の情報を記録するため、ピットによる記録容量を減少させることなく別の記録領域を確保したいという要求がある。
【０００３】
ピットの長短による方法以外の手段によって記録容量を高める方式として、ピットの位置を光ディスクの半径方向に変動させる技術が知られている。この技術は、ピットの位置を光ディスクの半径方向にウォブリングさせ、そのウォブルをスペクトラム拡散することで情報を記録するものである。
【０００４】
特許文献１には、そのような光ディスクからスペクトラム拡散されたデータを再生する方法が開示されている。この技術は、ピットの長短を検出した読取信号とは別に、ピット位置の変動に応じた読取信号からクロック信号を抽出し、抽出したクロック信号を用いて、データ再生を行うものである。
【０００５】
【特許文献１】
特開２００３−８５８９６号公報
【０００６】
【発明が解決しようとする課題】
しかし、ピットの長短の読取信号とは別系統にクロック信号を再生するのでは情報再生装置の構成が複雑となる。また、ピット位置の変動に応じた読取信号からクロック信号を再生すると、光ディスクの偏芯の影響を受け、ジッタ成分が大きくなり、エラーレートが大きくなる。
【０００７】
本発明が解決しようとする課題としては、ウォブルによって記録されたデータの再生においてエラーレートを低減することが一例として挙げられる。
【０００８】
【課題を解決するための手段】
請求項１に記載の発明は、第１データに応じて長短とされる記録マークが、第２データを所定の変調方式で変調して得たウォブル信号に応じて、当該記録マークの読取方向と交わる方向に変動した位置に形成された情報記録媒体を再生する情報再生装置において、前記情報記録媒体に記録された前記記録マークを読取る読取手段と、前記読取手段の出力信号に基づき、前記記録マークの長短を表す読取信号を生成する読取信号生成手段と、前記読取信号に基づき、第１クロック信号を生成する第１クロック信号生成手段と、前記読取手段の出力信号に基づき、前記読取マークの変動位置を示すウォブル信号を生成するウォブル信号生成手段と、前記第１クロック信号を用いて、前記生成されたウォブル信号から前記第２データを再生する第２データ再生手段とを備えたことを特徴とする。
【０００９】
請求項９に記載の発明は、第１データに応じて長短とされる記録マークの長短が、第２データを所定の変調方式で変調して得たウォブル信号に応じて、当該記録マークの読取方向と交わる方向に変動した位置に形成された情報記録媒体を再生する情報再生方法において、前記情報記録媒体に記録された前記記録マークを読取る第１ステップと、前記第１ステップにより読み取った信号に基づき、前記記録マークの長短を表す読取信号を生成する第２ステップと、前記読取信号に基づき、第１クロック信号を生成する第３ステップと、前記第１ステップにより読み取った信号に基づき、前記読取マークの変動位置を示すウォブル信号を生成する第４ステップと、前記第１クロック信号を用いて、前記生成されたウォブル信号に所定の処理を施して前記第２データを再生する第５ステップとを備えることを特徴とする。
【００１０】
【発明の実施の形態】
以下、図面を参照して本発明の好適な実施の形態について説明する。図１に本発明の一実施形態に係る情報再生装置の主要部のブロック図を示す。この情報再生装置１００は、情報記録媒体Ａを再生する。情報記録媒体Ａは、円盤状の形状をしており、例えば、ＣＤ（Ｃｏｍｐａｃｔ  Ｄｉｓｃ）、ＣＤ−ＲＯＭ（Ｃｏｍｐａｃｔ  Ｄｉｓｃ  ）、ＤＶＤ（Ｄｉｇｉｔａｌ  Ｖｅｒｓａｔｉｌｅ  Ｄｉｓｃ）、ＤＶＤ−ＲＯＭ（Ｄｉｇｉｔａｌ  Ｖｅｒｓａｔｉｌｅ  Ｄｉｓｃ）などの種々の光ディスクを使用することができる。
【００１１】
情報記録媒体Ａには、周回状のトラックに沿って記録マークがピットＰとして形成されている。この記録マークの長短に応じて第１データＤ１が記録される。また、トラックは、これを拡大して見ると、読取方向と交わる方向に蛇行している。トラックの蛇行はウォブルと呼ばれ、ウォブル信号ＷＢに応じた形状となっている。ウォブル信号ＷＢは、第２データＤ２を所定の変調方式で変調を施して得られる。換言すれば、記録マークはウォブル信号ＷＢに応じて読取方向と交わる方向に変動した位置に形成されている。本実施形態では、所定の変調方式としてスペクトラム拡散変調方式を採用する。なお、記録時において第１データＤ１と第２データＤ２は同期しており、また、第１データＤ１とウォブル信号ＷＢは同期している。
【００１２】
情報再生装置１００は、読取部Ｅ、読取信号生成部Ｆ、ウォブル信号生成部Ｇ、第１データ再生部Ｂ、第２データ再生部Ｃ、及び第１クロック信号生成部Ｄを備える。読取部Ｅは、情報記録媒体Ａに記録された記録マークを読取る。読取信号生成部Ｆは、読取部Ｅの出力信号に基づき、記録マークの長短を表す読取信号ＲＦを生成する。第１クロック信号生成部Ｄは、読取信号ＲＦから第１クロック信号ＣＫ１を生成する。読取信号ＲＦは、情報記録媒体Ａに記録された記録マークの長短を読み取った信号である。第１データＤ１の最小反転間隔は、第１クロック信号ＣＫ１の１周期のＭ倍である。
【００１３】
ウォブル信号生成部Ｇは、読取部Ｅの出力信号に基づき、読取マークの変動位置を示すウォブル信号ＷＢを生成する。第１データ再生部Ｂは、第１クロック信号ＣＫ１を用いて、読取信号ＲＦから第１データＤ１を再生する。第２データ再生部Ｃは、生成されたウォブル信号ＷＢに第１クロック信号ＣＫ１を用いた所定の処理を施して第２データＤ２を再生する。すなわち、記録マークの長短から再生した第１クロック信号ＣＫ１を用いて、ウォブル信号ＷＢから第２データＤ２を生成する。デジタル情報の再生では、ウォブル信号からクロック信号を生成するのが一般的である。従って、再生したウォブル信号ＷＢから第２データＤ２を抜き出すためのクロック信号を再生することも考えられる。
【００１４】
しかし、第１クロック信号生成部Ｄと独立して再生回路を設けると構成が複雑になる。また、ウォブル信号ＷＢは、トラックの蛇行を定めるものであるから、その周波数は記録マークの周波数と比較して低い。一方、再生時には円盤状の形状をした情報記録媒体Ａを回転させて読取信号ＲＦ及びウォブル信号ＷＢを生成する。理想的には情報記録媒体Ａの偏芯がないことが望ましいが、現実の情報記録媒体Ａにはある程度の偏芯が存在する。このため、読取信号ＲＦ及びウォブル信号ＷＢは偏芯の影響を受け、ジッタとなる。ウォブル信号ＷＢは周波数が低いためジッタの影響を受けやすいが、読取信号ＲＦは周波数が高いため周期がＷＢに比べ短くジッタ量が少ないのでサンプリングクロックとしての精度が上がる。そこで、読取信号ＲＦから抽出した第１クロック信号ＣＫ１を用いて、ウォブル信号ＷＢから第２データＤ２を生成したのである。これにより、情報再生装置１００の構成を簡易にすると同時に、偏芯の影響を殆ど受けることなく第２データＤ２を再生でき、第２データＤ２のエラーレートを大幅に改善できる。
【００１５】
第２データ再生部Ｃは、ランダムデータ生成部Ｃ１、第２クロック信号生成部Ｃ２及び再生部Ｃ３を備える。ランダムデータ生成部Ｃ１は、不揮発性メモリ等で構成され、そこには、第２データＤ２のスペクトラム拡散変調に用いたランダムデータＲＮＤが記憶されている。第２クロック信号生成部Ｃ２は、第１クロック信号ＣＫ１に同期した第２クロック信号ＣＫ２を生成する。第２クロック信号生成部Ｃ２は、第１クロック信号ＣＫ１に基づいて第２クロック信号ＣＫ２を生成できるのであれば、どのような構成であってもよく、例えば、ＰＬＬ回路や分周回路であってもよい。特に、第１クロック信号ＣＫ１の周波数が第２クロック信号ＣＫ２の周波数の整数倍である場合には、構成を簡易化する観点より、分周回路を用いることが好ましく。整数倍でない場合には、ＰＬＬ回路を用いることが好ましい。
【００１６】
再生部Ｃ３は、第２クロック信号ＣＫ２を用いてランダムデータ生成部Ｃ１からランダムデータＲＮＤを読み出し、読み出したランダムデータＲＮＤに基づいて、再生されたウォブル信号ＷＢを復調して第２データＤ２を再生する。これにより、第１クロック信号ＣＫ１と同期した第２クロック信号ＣＫ２を用いてランダムデータＲＮＤが読み出される。
【００１７】
さらに、再生部Ｃ３は、サンプリング部Ｃ３１及び復調部Ｃ３２を備える。サンプリング部Ｃ３１は、再生されたウォブル信号ＷＢを第２クロック信号ＣＫ２でサンプリングする。復調部Ｃ３２は、第２クロック信号ＣＫ２を用いてランダムデータ生成部Ｃ１から読み出したランダムデータＲＮＤに基づいて、サンプリング部Ｃ３１から出力されるスペクトラム拡散データＳＳに逆スペクトラム拡散を施して第２データＤ２を再生する。
【００１８】
ウォブル信号ＷＢは読取信号ＲＦと比較して周波数が低いため、ゼロクロス付近におけるウォブル信号ＷＢの傾きは比較的緩やかである。従って、ウォブル信号ＷＢをコンパレータ等によって２値化しただけでは、ジッタ量が大きい。本実施形態においては、ウォブル信号ＷＢを第２クロック信号ＣＫ２でサンプリングしてスペクトラム拡散データＳＳを抜き出している。スペクトラム拡散データＳＳは、第２データＤ２をスペクトラム拡散して得られるデータである。第２クロック信号ＣＫ２は周波数が高い第１クロック信号ＣＫ１から生成されるので、第２クロック信号ＣＫ２の位相を第１クロック信号ＣＫ１の周期で正確に調整することができる。例えば、第２クロック信号ＣＫ２の立ち下がりエッジでスペクトラム拡散データＳＳを抜き出すのであれば、ウォブル信号ＷＢのデータ反転間隔の中央に第２クロック信号ＣＫ２の立ち下がりエッジがくるようにタイミングを調整して、正確にウォブル信号ＷＢからスペクトラム拡散データＳＳを抜き出せばよい。
【００１９】
より具体的には、第１データＤ１のデータレートがランダムデータＲＮＤのデータレートのＮ（Ｎは２以上の自然数）倍である場合、第２クロック信号生成部Ｃ２は、第１クロック信号ＣＫ１を１／Ｎ分周する分周回路によって構成されることが好ましい。さらに、第１データ再生部Ｂは、第１データＤ１に含まれる特定のデータパターンを抽出した特定信号を出力し、分周回路は、特定信号又は特定信号を所定時間遅延した信号によってリセットされることが好ましい。この場合、特定信号は第１データＤ１の同期信号ＳＹＮＣであってもよい。
【００２０】
【実施例】
次に、本発明の好適な実施例について、図面を参照して説明する。図２は情報再生装置１００の構成を示すブロック図である。光ディスク１には、第１クロック信号ＣＫ１に同期したピットデータＤＰが記録マークの長短によって記録されている。この例の記録マークはピットであり、トラックはピット列によって構成される。トラックは第２データＤ２をスペクトラム拡散変調して得たウォブル信号ＷＢに応じて蛇行した形状になっている。ウォブル信号ＷＢは第２クロック信号ＣＫ２に同期している。第１クロック信号ＣＫ１は第２クロック信号ＣＫ２のＮ（Ｎは自然数）倍の周波数を有する。この例では、Ｎ＝２５０であり、第２クロック信号ＣＫ２は４２０ＫＨｚ、第１クロック信号ＣＫ１は１０．５ＭＨｚである。ピットデータＤＰは上述した第１データＤ１に相当し、光ディスク１は情報記録媒体Ａに相当する。
【００２１】
情報再生装置１００は、光ディスク１に対して再生ビームを照射するとともに反射光に応じた信号を出力する光ピックアップ２と、光ディスク１の回転を制御するスピンドルモータ３と、サーボユニット２２を備える。サーボユニット２２には、第１クロック信号ＣＫ１及びピット同期信号ＳＹＮＣが供給される。サーボユニット２２は、これらの信号に同期して、スピンドルモータ３の回転を制御するスピンドルサーボ、光ピックアップ２の光ディスク１に対する相対的位置制御であるフォーカスサーボ及びトラッキングサーボを実行する。
【００２２】
光ピックアップ２は、再生ビームを照射するレーザダイオード、４分割検出回路を備える（図示略）。４分割検出回路は、再生ビームの反射光を図２に示す領域１Ａ、１Ｂ、１Ｃ、１Ｄに４分割し、各領域の光量に応じた信号を各々出力する。ヘッドアンプ４は、光ピックアップ２の各出力信号を各々増幅し、領域１Ａに対応する分割読取信号１ａ、領域１Ｂに対応する分割読取信号１ｂ、領域１Ｃに対応する分割読取信号１ｃ、及び領域１Ｄに対応する分割読取信号１ｄを出力する。光ピックアップ２及びヘッドアンプ４は上述した読取部Ｅに相当する。
【００２３】
総和生成回路１０は読取信号生成部Ｆに相当し、分割読取信号１ａ、１ｂ、１ｃ、及び１ｄを加算して、総和読取信号ＳＲＦを出力する加算回路からなる。なお、総和読取信号ＳＲＦは、記録マークの長短を表す信号であり、上述した読取信号ＲＦに相当する。
【００２４】
ピットデータ生成回路１１は、総和読取信号ＳＲＦに基づいてピットデータＤＰを再生すると共に第１クロック信号ＣＫ１を生成する。ピットデータ生成回路１１は、上述した第１データ再生部Ｂ及び第１クロック信号生成部Ｄに相当する。図３は、ピットデータ生成回路１１の構成を示すブロック図である。この図に示すようにピットデータ生成回路１１は、第１クロック信号再生回路１１１、ピットデータ抜出回路１１２、同期信号検出回路１１３、ピットデータ復調回路１１４、及びデスクランブル回路１１５を備える。
【００２５】
第１クロック信号再生回路１１１は、総和読取信号ＳＲＦに基づいてピットデータＤＰに同期した第１クロック信号ＣＫ１を再生する。ピットデータ抜出回路１１２は、総和読取信号ＳＲＦを２値化して得た２値化信号を第１クロック信号ＣＫ１でサンプリングして、ピットデータＤＰを再生する。
【００２６】
同期信号検出回路１１３は、再生されたピットデータＤＰに含まれる同期パターンを検出し、ピット同期信号ＳＹＮＣを生成する。同期パターンは、他のピットデータに含まれていない特定のデータパターンであって、一定の周期を有する。ピット同期信号ＳＹＮＣは、同期パターンのタイミングを指示する信号である。なお、この例のピット同期信号ＳＹＮＣは、同期パターンの開始から第１クロック信号ＣＫ１の１周期だけアクティブ（ローレベル）となる。
【００２７】
ピットデータ復調回路１１４は、ピット同期信号ＳＹＮＣを基準位置として、再生されたピットデータＤＰを所定のテーブルを用いて復調して再生データを生成する。例えば、変調方式としてＥＦＭ変調が採用される場合には、１４ビットのピットデータＤＰを８ビットの再生データに変換する処理が施される。デスクランブル回路１１５は再生データの順序を予め定められた規則に従って並べ換えるデスクランブル処理を実行し、処理済の再生データを出力する。
【００２８】
このようにして得られた再生データは、図２に示すピットデータエラー訂正回路１２へ供給され、そこで、エラー訂正処理や補間処理等が施された後、バッファ１３に記憶される。インターフェース１４はバッファ１３に記憶されたデータを順次読み出して所定の出力形式に変換して外部機器へ出力する。
【００２９】
図２に戻り、説明を続ける。プッシュプル信号生成回路２０は、（１ａ＋１ｄ）−（１ｂ＋１ｃ）を算出して、プッシュプル信号を生成する。成分（１ａ＋１ｄ）は、読取方向に対して左側の領域１Ａ及び１Ｄに対応する一方、成分（１ｂ＋１ｃ）は、読取方向に対して右側の領域１Ｂ及び１Ｃに対応する。即ち、再生ビームがピットに対して左側に偏っていれば、プッシュプル信号は振幅中心を基準として正極性となり、再生ビームがピットの中央に位置する場合はプッシュプル信号の値は振幅中心となり、再生ビームがピットに対して右側に偏っていれば、プッシュプル信号は振幅中心を基準として負極性となる。再生ビームとピットの相対的な位置は、トラックの蛇行に応じて変化し、プッシュプル信号の値は再生ビームとピットの相対的な位置関係を表している。即ち、プッシュプル信号は、トラックの蛇行に応じた信号である。
【００３０】
プッシュプル信号はローパスフィルタ２１を介してサーボユニット２２へ出力される。サーボユニット２２は、プッシュプル信号に基づいてトラッキング制御を実行する。また、プッシュプル信号はバンドパスフィルタ２３に供給される。バンドパスフィルタ２３の通過帯域は、記録時において第２データＤ２をスペクトラム拡散変調して得たウォブル信号ＷＢをプッシュプル信号から抽出できるように設定されている。従って、バンドパスフィルタ２３は、プッシュプル信号生成回路２０と共に、上述したウォブル信号生成部Ｇを構成し、その出力信号は、光ディスク１からウォブル信号ＷＢを再生したものとなる。
【００３１】
図４にウォブル信号ＷＢ、２値化信号２４ａ、第１クロック信号ＣＫ１、第２クロック信号ＣＫ２、及びピット同期信号ＳＹＮＣのタイミングチャートを示す。コンパレータ２４は、ウォブル信号ＷＢを２値化した２値化信号２４ａを出力する。ウォブル信号ＷＢは、周波数が低いので、ゼロクロス付近において波形の傾きが緩やかである。このため、２値化信号は大きなジッタ成分を有する。サンプリング回路２５は、第２クロック信号ＣＫ２を用いて２値化信号２４ａをサンプリングして、データを抜き出してスペクトラム拡散データＳＳを再生する。
【００３２】
この例では、第１クロック信号ＣＫ１の周波数ｆ１が１０．５ＭＨｚであり、第２クロック信号ＣＫ２の周波数ｆ２が４２０ＫＨｚであり、第１クロック信号ＣＫ１は第２クロック信号ＣＫ２の２５０倍の周波数を有する。このため、分周回路２６は、第１クロック信号ＣＫ１を１／２５０分周して第２クロック信号ＣＫ２を生成する。従って、図４に示すように第２クロック信号ＣＫ２の一周期の中に２５０個の第１クロック信号ＣＫ１が入る。また、分周回路２６は、リセット端子Ｒの電圧がアクティブ（ローレベル）になると、リセットされるようになっており、このリセット端子Ｒにはピット同期信号ＳＹＮＣが供給される。従って、第２クロック信号ＣＫ２は、ピット同期信号ＳＹＮＣの立下りによってリセットされ、その位相がピット同期信号ＳＹＮＣによって定まる。
【００３３】
ピットデータＤＰには、２５０＊Ｋ（Ｋは自然数）ビットの周期で同期パターンが挿入されており、同期パターンの開始と第２クロック信号ＣＫ２の立ち上りエッジが一致する関係にある。即ち、同期パータンは第２クロック信号ＣＫ２の自然数倍の周期を有する。この場合、図４に示すタイミングでピット同期信号ＳＹＮＣがアクティブとなると、分周回路２６がリセットされ、ピット同期信号ＳＹＮＣと第２クロック信号ＣＫ２の位相が調整される。これによって、第２クロック信号ＣＫ１の立ち下がりエッジを、２値化信号２４ａのデータ最小反転間隔の中央に持ってくることができる。従って、２値化信号２４ａのエッジがジッタの影響を受けて揺らいでも、確実にスペクトラム拡散データＳＳを抜き出すことが可能となる。
【００３４】
図２に戻り、説明を続ける。ＲＡＮＤテーブル２７には、記録時のスペクトラム拡散変調に用いたランダム化パターンが記憶されている。ランダム化パターンは拡散符号に相当し、ランダム関数を用いて生成されるビット列である。ＲＡＮＤテーブル２７には第２クロック信号ＣＫ２が供給され、第２クロック信号ＣＫ２に同期してランダム化パターンが読み出されることによりランダムデータＲＮＤが生成され、生成されたランダムデータＲＮＤはスペクトラム拡散データ復調回路２８に供給される。また、サンプリング回路２５から出力されるスペクトラム拡散データＳＳはスペクトラム拡散データ復調回路２８に供給される。なお、分周回路２６は第２クロック信号生成部Ｃ２に、コンパレータ２４及びサンプリング回路２５はサンプリング部Ｃ３１に、スペクトラム拡散データ復調回路２８は復調部Ｃ３２に、ＲＡＮＤテーブル２７はランダムデータ生成部Ｃ１に各々相当する。
【００３５】
図５にスペクトラム拡散データＳＳ、ランダムデータＲＮＤ、及び第２データＤ２の関係を示す。スペクトラム拡散データ復調回路２８は、乗算回路（例えば、イクスシブルオア回路ＸＯＲ）で構成され、スペクトラム拡散データＳＳとランダムデータＲＮＤを掛け算して、第２データＤ２を再生する。この際、元々の信号帯域でない信号は、掛け算によって帯域外の信号に変換される。こうして再生された第２データＤ２は、エラー訂正回路２８においてエラー訂正が施された後、出力される。
【００３６】
本発明は上述した実施例に限定されるものではなく、例えば、以下の変形が可能である。上述した実施例においてサンプリング回路２５は第２クロック信号ＣＫ２で２値化信号２４ａをサンプリングしてスペクトラム拡散データＳＳを再生したが、第２クロック信号ＣＫ２の替わりに第１クロック信号ＣＫ１でサンプリングして、サンプリング後のデータを補正してもよい。この場合、サンプリング後のデータをスペクトラム拡散データ復調回路に供給し、スペクトラム拡散を復調した後に、第２クロック信号ＣＫ２を用いる等して補正を施してもよい。要は、情報記録媒体Ａたる光ディスク１から再生したウォブル信号ＷＢに第１クロック信号ＣＫ１を用いた所定の処理を施して第２データＤ２を再生するのであれば、どのような手法を用いてもよい。
【００３７】
また、情報記録媒体Ａにスペクトラム拡散された第２データＤ２を記録する際に、複数のランダム化パターンを用意し、所定の規則に従って複数のランダム化パターンの中から一つを選択し、選択したランダム化パターンを用いて第２データＤ２をスペクトラム拡散変調してウォブル信号ＷＢを生成し、生成したウォブル信号ＷＢに応じて記録マークを読取方向と交わる方向に変動した位置に形成してもよい。このような情報記録媒体Ａから、第２データＤ２を再生する場合には、ＲＡＮＤテーブル２７を複数用意し、所定の規則に従ってＲＡＮＤテーブル２７から選択的に読み出したランダムデータＲＮＤを用いてスペクトラム拡散データＳＳを復調すればよい。
【００３８】
また、上述した実施例では、ピットデータＤＰの同期パターンの開始と第２クロック信号ＣＫ２の立ち上りエッジのタイミングが一致する場合を一例として説明したが、例えば、ピットデータＤＰの同期パターンと第２クロック信号ＣＫ２の立ち上りエッジのタイミングが、所定数の第１クロック信号ＣＫ１だけずれている場合には、以下のようにして、分周回路２６のリセットを実行すればよい。即ち、ピット同期信号ＳＹＮＣがアクティブになると第１クロック信号ＣＫ１の計数を開始するカウンタと、カウンタのカウント値を所定数と比較する比較回路とを設け、比較回路において一致が検出されたタイミングで分周回路２６にリセットをかければよい。この場合には、ピット同期信号ＳＹＮＣを所定時間遅延した信号によって分周回路２６がリセットされる。
【００３９】
つまり、本発明は、再生時において、ピットデータＤＰから特定のデータパターンを抽出し、抽出した特定信号（同期信号）に基づいて、第２クロック信号ＣＫ２の位相を調整するものであればよく、第１クロック信号ＣＫ１の１周期単位で調整することが好ましい。
【００４０】
以上説明したように、上述した実施例及び変形例によれば、記録マークの長短に応じてピットデータＤＰが記録され、第２データＤ２を所定の変調方式で変調して得たウォブル信号ＷＢに応じて、記録マークが読取方向と交わる方向に変動した位置に形成された情報記録媒体Ａから第２データＤ２を再生する場合に、ピットデータＤＰと同期した第１クロック信号ＣＫ１を記録マークの長短を読み取って得た信号から再生し、この第１クロック信号ＣＫ２を用いて第２データＤ２を再生したので、第２クロック信号ＣＫ２を再生したウォブル信号ＷＢから生成する構成を不要にできると同時に、スペクトラム拡散データＳＳの抜き出しを精度良く行うことができ、第２データＤ２のエラーレートを大幅に低減することができる。
【図面の簡単な説明】
【図１】本発明の実施形態に係る情報再生装置の概略構成を示すブロック図である。
【図２】本発明の実施例に係る情報再生装置の構成を示すブロック図である。
【図３】同装置に用いるピットデータ生成回路１１の構成を示すブロック図である。
【図４】ウォブル信号ＷＢ、２値化信号２４ａ、第１クロック信号ＣＫ１、第２クロック信号ＣＫ２、及びピット同期信号ＳＹＮＣの関係を示すタイミングチャートである。
【図５】スペクトラム拡散データＳＳ、ランダムデータＲＮＤ、及び第２データＤ２の関係を示すタイミングチャートである。
【符号の説明】
Ａ  情報記録媒体
Ｂ  第１データ再生部
Ｃ  第２データ再生部
Ｃ１  ランダムデータ生成部
Ｃ２  第２クロック信号生成部
Ｃ３  再生部
Ｃ３１  サンプリング部
Ｃ３２  復調部
Ｄ  第１クロック信号生成部
Ｄ１  第１データ
Ｄ２  第２データ
ＣＫ１  第１クロック信号
ＣＫ２  第２クロック信号
【図１】
2004348924.tif 000003
【図２】
2004348924.tif 000004
【図３】
2004348924.tif 000005
【図４】
2004348924.tif 000006
【図５】
2004348924.tif 000007